(57)【要約】【課題】送信フィルタと受信フィルタとの間の伝送線路の長さを短くすることができ部品点数が少なく小型化が容易でロスの小さなデュプレクサを提供する。【解決手段】送信側誘電体フィルタ１は、複数の１／４波長型誘電体共振器とそのうちの１つに容量結合する第１の入出力電極とそれに容量結合する第１のトラップ共振器とを作り込んでなる。受信側誘電体フィルタ２１は、複数の１／４波長型誘電体共振器とそのうちの１つに容量結合する第２の入出力電極とそれに容量結合する第２のトラップ共振器とを作り込んでなる。送信側誘電体フィルタ１と受信側誘電体フィルタ２１とを接続するための伝送線路３０は、第１の端部が第１の入出力電極と接続され且つ第２の端部が第２の入出力電極と接続されている。伝送線路３０の第１の端部と第１の入出力電極との接続部分が入出力共通端子３１とされている。【選択図】図１
2007295361.tif 000002
【特許請求の範囲】
【請求項１】
第１の誘電体フィルタ、第２の誘電体フィルタ、及びこれらを接続するための伝送線路を備えたデュプレクサであって、
前記第１の誘電体フィルタは、第１の誘電体ブロックに、複数の第１の１／４波長型誘電体共振器と該第１の１／４波長型誘電体共振器のうちの１つに容量結合する第１の入出力電極と該第１の入出力電極に容量結合する第１のトラップ共振器とを作り込んでなり、
前記第２の誘電体フィルタは、第２の誘電体ブロックに、複数の第２の１／４波長型誘電体共振器と該第２の１／４波長型誘電体共振器のうちの１つに容量結合する第２の入出力電極と該第２の入出力電極に容量結合する第２のトラップ共振器とを作り込んでなり、
前記伝送線路は第１の端部が前記第１の入出力電極と接続され且つ第２の端部が前記第２の入出力電極と接続されており、前記伝送線路の第１の端部と前記第１の入出力電極との接続部分が入出力共通端子とされていることを特徴とするデュプレクサ。
【請求項２】
前記第１のトラップ共振器の共振周波数は、前記第１の誘電体フィルタの前記入出力共通端子側の反射特性において前記第２の誘電体フィルタの中心周波数の位相が−１０°〜＋１０°の範囲内となるように設定されていることを特徴とする、請求項１に記載のデュプレクサ。
【請求項３】
前記第１のトラップ共振器と前記第１の入出力電極との容量結合は、前記第１の誘電体フィルタの前記入出力共通端子側の反射特性において前記第２の誘電体フィルタの中心周波数の位相が−１０°〜＋１０°の範囲内となるように設定されていることを特徴とする、請求項２に記載のデュプレクサ。
【請求項４】
前記第２のトラップ共振器の共振周波数は、前記第２の誘電体フィルタの前記入出力共通端子側の反射特性において前記第１の誘電体フィルタの中心周波数の位相が−１０°〜＋１０°の範囲内となるように設定されていることを特徴とする、請求項１〜３のいずれかに記載のデュプレクサ。
【請求項５】
前記第２のトラップ共振器と前記第２の入出力電極との容量結合は、前記第２の誘電体フィルタの前記入出力共通端子側の反射特性において前記第１の誘電体フィルタの中心周波数の位相が−１０°〜＋１０°の範囲内となるように設定されていることを特徴とする、請求項４に記載のデュプレクサ。
【請求項６】
前記伝送線路の長さは、前記第１の誘電体フィルタの中心周波数及び前記第２の誘電体フィルタの中心周波数のうちの高い方に対応する波長の１／４以下であることを特徴とする、請求項１〜５のいずれかに記載のデュプレクサ。
【請求項７】
前記第１の入出力電極は前記第１の誘電体ブロックの開放端面に付された導電膜からなり、前記第２の入出力電極は前記第２の誘電体ブロックの開放端面に付された導電膜からなることを特徴とする、請求項１〜６のいずれかに記載のデュプレクサ。
【請求項８】
前記第１の誘電体ブロック及び第２の誘電体ブロックは、いずれも直方体の外形を持ち且つ開放面とは反対側の短絡面を導電性基板の表面に接して取り付けられており、前記第１の入出力電極と第２の入出力電極とが対応する端部に位置するようにして互いに平行に配列されていることを特徴とする、請求項１〜７のいずれかに記載のデュプレクサ。
【請求項９】
前記第１の誘電体ブロックの開放面を覆うように第１のシールドケースが取り付けられており、前記第１の入出力電極には前記第１のシールドケースに設けられた開口を通って前記第１のシールドケースの外側へと延びる第１の導電性ピンが固定されており、
前記第２の誘電体ブロックの開放面を覆うように第２のシールドケースが取り付けられており、前記第２の入出力電極には前記第２のシールドケースに設けられた開口を通って前記第２のシールドケースの外側へと延びる第２の導電性ピンが固定されており、
前記伝送線路は前記第１のシールドケースの外側であって前記第２のシールドケースの外側に配置されており、前記第１の端部は前記第１の導電性ピンに接続されており、前記第２の端部は前記第２の導電性ピンに接続されており、前記第１の導電性ピンが前記入出力共通端子を構成することを特徴とする、請求項８に記載のデュプレクサ。
【請求項１０】
前記伝送線路は同軸ケーブルからなることを特徴とする、請求項９に記載のデュプレクサ。
【発明の詳細な説明】
【技術分野】
【０００１】
本発明は、デュプレクサに関するものであり、特に、２つの誘電体フィルタを伝送線路で接続してなるデュプレクサに関するものである。本発明のデュプレクサは、マイクロ波等を使用する無線通信機器例えば移動体通信における基地局用送受信機を構成するのに使用される。
【背景技術】
【０００２】
２つのフィルタを接続してデュプレクサを構成する技術においては、例えば米国特許第３６５６１６２号明細書（特許文献１）または特開昭６２−１３６１０５号公報（特許文献２）に記載されているように、送信フィルタとアンテナ端子とを接続するケーブルの長さを受信フィルタの中心周波数の波長の１／４にし、受信フィルタとアンテナ端子とを接続するケーブルの長さを送信フィルタの中心周波数の波長の１／４にすることが行われる。こうすることで、アンテナから入った受信電波にとっては送受信の分岐点であるアンテナ端子から見て送信フィルタが繋がっていないかのように見え、受信電波は受信フィルタ側ヘと流れる。また、送信機から発せられ送信フィルタを通過した送信電波にとっては送受信の分岐点であるアンテナ端子から見て受信フィルタが繋がっていないかのように見え、送信電波はアンテナ側ヘと流れる。
【０００３】
この手法では、送受信の分岐点から送信フィルタ及び受信フィルタまでの距離がそれぞれフィルタの中心周波数の波長の１／４程度必要であり、即ちケーブル（伝送線路）長の合計がフィルタの中心周波数の波長の１／２程度必要であり、伝送線路の設置スペースが大きくなり、機器の小型化に不利である。また、この手法では、伝送線路の途中に存在する送受信の分岐点においてアンテナ側伝送線路との接続が必要になり、その接続が面倒であるという問題点がある。
【０００４】
一方、米国特許第５０１５９７３号明細書（特許文献３）または特開昭６４−６０００４号公報（特許文献４）には、デュプレクサにおいて２つのフィルタの接続経路にインピーダンス素子を介在させることで伝送線路の長さを短くすることが提案されている。
【０００５】
しかし、この手法では、インピーダンス素子を追加するので、その接続によるロスが大きくなり、また部品点数が多くなり機器の小型化に不利であるという問題点がある。
【特許文献１】米国特許第３６５６１６２号明細書
【特許文献２】特開昭６２−１３６１０５号公報
【特許文献３】米国特許第５０１５９７３号明細書
【特許文献４】特開昭６４−６０００４号公報
【発明の開示】
【発明が解決しようとする課題】
【０００６】
そこで、本発明の目的は、以上の如き従来の技術の問題点に鑑みて、送信フィルタと受信フィルタとの間の伝送線路の長さを短くすることができ、部品点数が少なく、小型化が容易で、ロスの小さなデュプレクサを提供することにある。
【課題を解決するための手段】
【０００７】
本発明によれば、以上の如き目的を達成するものとして、
第１の誘電体フィルタ、第２の誘電体フィルタ、及びこれらを接続するための伝送線路を備えたデュプレクサであって、
前記第１の誘電体フィルタは、第１の誘電体ブロックに、複数の第１の１／４波長型誘電体共振器と該第１の１／４波長型誘電体共振器のうちの１つに容量結合する第１の入出力電極と該第１の入出力電極に容量結合する第１のトラップ共振器とを作り込んでなり、
前記第２の誘電体フィルタは、第２の誘電体ブロックに、複数の第２の１／４波長型誘電体共振器と該第２の１／４波長型誘電体共振器のうちの１つに容量結合する第２の入出力電極と該第２の入出力電極に容量結合する第２のトラップ共振器とを作り込んでなり、
前記伝送線路は第１の端部が前記第１の入出力電極と接続され且つ第２の端部が前記第２の入出力電極と接続されており、前記伝送線路の第１の端部と前記第１の入出力電極との接続部分が入出力共通端子とされていることを特徴とするデュプレクサ、
が提供される。
【０００８】
本発明の一態様においては、前記第１のトラップ共振器の共振周波数は、前記第１の誘電体フィルタの前記入出力共通端子側の反射特性において前記第２の誘電体フィルタの中心周波数の位相が−１０°〜＋１０°の範囲内となるように設定されている。本発明の一態様においては、前記第１のトラップ共振器と前記第１の入出力電極との容量結合は、前記第１の誘電体フィルタの前記入出力共通端子側の反射特性において前記第２の誘電体フィルタの中心周波数の位相が−１０°〜＋１０°の範囲内となるように設定されている。
【０００９】
本発明の一態様においては、前記第２のトラップ共振器の共振周波数は、前記第２の誘電体フィルタの前記入出力共通端子側の反射特性において前記第１の誘電体フィルタの中心周波数の位相が−１０°〜＋１０°の範囲内となるように設定されている。本発明の一態様においては、前記第２のトラップ共振器と前記第２の入出力電極との容量結合は、前記第２の誘電体フィルタの前記入出力共通端子側の反射特性において前記第１の誘電体フィルタの中心周波数の位相が−１０°〜＋１０°の範囲内となるように設定されている。ここで、第２の誘電体フィルタの入出力共通端子側の反射特性は、第２の誘電体フィルタに伝送線路を接続してなるものの該伝送線路の第１の端部の側での反射特性のことである。
【００１０】
本発明の一態様においては、前記伝送線路の長さは、前記第１の誘電体フィルタの中心周波数及び前記第２の誘電体フィルタの中心周波数のうちの高い方に対応する波長の１／４以下である。
【００１１】
本発明の一態様においては、前記第１の入出力電極は前記第１の誘電体ブロックの開放端面に付された導電膜からなり、前記第２の入出力電極は前記第２の誘電体ブロックの開放端面に付された導電膜からなる。
【００１２】
本発明の一態様においては、前記第１の誘電体ブロック及び第２の誘電体ブロックは、いずれも直方体の外形を持ち且つ開放面とは反対側の短絡面を導電性基板の表面に接して取り付けられており、前記第１の入出力電極と第２の入出力電極とが対応する端部に位置するようにして互いに平行に配列されている。本発明の一態様においては、前記第１の誘電体ブロックの開放面を覆うように第１のシールドケースが取り付けられており、前記第１の入出力電極には前記第１のシールドケースに設けられた開口を通って前記第１のシールドケースの外側へと延びる第１の導電性ピンが固定されており、前記第２の誘電体ブロックの開放面を覆うように第２のシールドケースが取り付けられており、前記第２の入出力電極には前記第２のシールドケースに設けられた開口を通って前記第２のシールドケースの外側へと延びる第２の導電性ピンが固定されており、前記伝送線路は前記第１のシールドケースの外側であって前記第２のシールドケースの外側に配置されており、前記第１の端部は前記第１の導電性ピンに接続されており、前記第２の端部は前記第２の導電性ピンに接続されており、前記第１の導電性ピンが前記入出力共通端子を構成する。本発明の一態様においては、前記伝送線路は同軸ケーブルからなる。
【発明の効果】
【００１３】
以上のような本発明のデュプレクサによれば、第１の誘電体フィルタにおいて第１の１／４波長型誘電体共振器のうちの１つ及び第１のトラップ共振器の双方に容量結合する第１の入出力電極を設け、第２の誘電体フィルタにおいて第２の１／４波長型誘電体共振器のうちの１つ及び第２のトラップ共振器の双方に容量結合する第２の入出力電極を設け、伝送線路として第１の端部が第１の入出力電極と接続され且つ第２の端部が第２の入出力電極と接続されるものを使用し、伝送線路の第１の端部と第１の入出力電極との接続部分を入出力共通端子とするので、第１のトラップ共振器の共振周波数更には第１のトラップ共振器と第１の入出力電極との容量結合、及び／または、第２のトラップ共振器の共振周波数更には第２のトラップ共振器と第２の入出力電極との容量結合を調整し適宜設定することで位相調整を行って、伝送線路の長さを短くすることができ、部品点数が少なくてすみ、小型化が容易になり、しかもロスは小さい。
【発明を実施するための最良の形態】
【００１４】
以下、本発明の実施の形態を、図面を参照しながら説明する。尚、以下に説明する図面においては同等の機能を有する部材又は部分には同一または対応する符号が付されている。
【００１５】
図１は本発明によるデュプレクサの一実施形態を示す斜視図であり、図２はその第１の誘電体フィルタ及び第１のシールドケースの部分を示す分解斜視図であり、図３はその第１の誘電体フィルタを示す拡大斜視図である。
【００１６】
図３において、第１の誘電体フィルタ１は、長さＷ、幅Ｈ及び高さＬの直方体の外形を持つ第１の誘電体ブロック２を有する。この第１の誘電体ブロック２には、複数（図では６個）の第１の１／４波長型誘電体共振器３Ａ，３Ｂ，３Ｃ，３Ｄ，３Ｅ，３Ｆと、第１のトラップ共振器４及びトラップ共振器５が形成されている。これらの共振器は、誘電体ブロック２の長さ方向に沿って、共振器４、共振器３Ａ，３Ｂ，３Ｃ，３Ｄ，３Ｅ，３Ｆ、及び共振器５の順に配列されている。これらの共振器はいずれも、誘電体ブロック２の上面２ａから下面２ｂへと高さ方向に貫通した貫通孔の内面に形成された導電膜からなる内導体と、誘電体ブロック２の上面２ａを除く外面（下面及び４つの側面）に形成された導電膜からなる外導体とを有してなる。誘電体ブロック２の上面２ａには、上記共振器３Ａ，３Ｂ，３Ｃ，３Ｄ，３Ｅ，３Ｆ、４及び５の内導体に接続されたパターン状の導電膜３Ａ’，３Ｂ’，３Ｃ’，３Ｄ’，３Ｅ’，３Ｆ’、４’及び５’が形成されている。
【００１７】
誘電体ブロック２の上面２ａには、更に、パターン状導電膜３Ａ’とパターン状導電膜４’との間に第１の入出力電極６が形成されており、パターン状導電膜３Ｆ’とパターン状導電膜５’との間に電極７が形成されている。電極６は、隣接するパターン状導電膜３Ａ’ひいては共振器３Ａ及びパターン状導電膜４’ひいては共振器４の双方とそれぞれ容量結合している。また、電極７は、隣接するパターン状導電膜３Ｆ’ひいては共振器３Ｆ及びパターン状導電膜５’ひいては共振器５の双方とそれぞれ容量結合している。
【００１８】
誘電体ブロック２の上面２ａは、そこにおいて各共振器の内導体が他の共振器の内導体とは接続されていないので、開放面と呼ばれる。これに対して、誘電体ブロック２の下面２ｂは、そこにおいて各共振器の内導体が他の共振器の内導体と接続（短絡）されているので、短絡面と呼ばれる。
【００１９】
第１の誘電体フィルタ１は、送信フィルタとして利用される。誘電体ブロック２の長さＷ、幅Ｈ及び高さＬ、各共振器３Ａ，３Ｂ，３Ｃ，３Ｄ，３Ｅ，３Ｆ，４，５の共振周波数及び配置等を適宜設定することで、所望の通過帯域等の特性を持つ送信フィルタとすることができる。
【００２０】
図２及び図４に示されているように、誘電体ブロック２には、その開放面２ａを覆うように第１のシールドケース８が取り付けられている。シールドケース８には、とくにその平板状上部において複数の開口８１が形成されており、そのうちの上記電極６，７にそれぞれ対応する開口８１を、導電性ピン８６，８７が貫通している。図４に、導電性ピン８６の周辺の断面図を示す。導電性ピン８６には、絶縁性のガラス体８６ａが付されており、該ガラス体がシールドケース８により支持されている。導電性ピン８６の下端部は半田８６ｂにより入出力電極６と接合されている。導電性ピン８６の上端部はシールドケース８の外側（すなわち、図４における上側）に位置している。すなわち、入出力電極６にはシールドケース８に設けられた開口８１を通ってシールドケースの外側へと延びる導電性ピン８６が固定されている。導電性ピン８７も、導電性ピン８６と同様にして、シールドケース８により支持され、電極７に接合されている。
【００２１】
図２に示されているように、シールドケース８の平板状上部には上方へと突出したタブ８２が設けられている。シールドケース８の平板状側部には、平板状上部を誘電体ブロック２の開放面２ａから上下方向に隔てて位置させるために、誘電体ブロック２の開放面２ａに当接されるスペーシング用突起８３が設けられている。また、シールドケース８の平板状上部には、誘電体ブロック２の長さ方向の両端における端面に当接される挟持用突起８４が設けられている。シールドケース８の平板状側部は、半田等により誘電体ブロック２の外導体付の側面に接合するのが好ましい。
【００２２】
以上、第１の誘電体フィルタ１に関して説明したが、第２の誘電体フィルタ２１も同様な構成を持つ。
【００２３】
すなわち、図１に示されているように、第２の誘電体フィルタ２１は、直方体の外形を持つ第２の誘電体ブロック２２を有する。該誘電体ブロック２２は、直方体の外形を持つが、長さＷ、幅Ｈ及び高さＬは第１の誘電体ブロック２のものとは異なっていてもよい。この第２の誘電体ブロック２２には、複数の第２の１／４波長型誘電体共振器（第１の誘電体フィルタ１における３Ａ，３Ｂ，３Ｃ，３Ｄ，３Ｅ，３Ｆに対応）と、第２のトラップ共振器（第１の誘電体フィルタ１における４に対応）及びトラップ共振器（第１の誘電体フィルタ１における５に対応）が形成されている。これらの共振器は、第１の誘電体フィルタ１の場合と同様に、誘電体ブロック２２の長さ方向に沿って配列されている。これらの共振器はいずれも、誘電体ブロック２２の上面から下面へと高さ方向に貫通した貫通孔の内面に形成された導電膜からなる内導体と、誘電体ブロック２２の上面を除く外面（下面及び４つの側面）に形成された導電膜からなる外導体とを有してなる。誘電体ブロック２２の上面には、第１の誘電体フィルタ１の場合と同様に、上記共振器の内導体に接続されたパターン状の導電膜（第１の誘電体フィルタ１における３Ａ’，３Ｂ’，３Ｃ’，３Ｄ’，３Ｅ’，３Ｆ’、４’及び５’に対応）が形成されている。尚、第２の１／４波長型誘電体共振器の数は、第１の誘電体フィルタ１の場合と異なっていてもよい。
【００２４】
誘電体ブロック２２の上面には、更に、第１の誘電体フィルタ１における３Ａ’に対応するパターン状導電膜と第１の誘電体フィルタ１におけるパターン状導電膜４’に対応するパターン状導電膜との間に第２の入出力電極（第１の誘電体フィルタ１における６に対応）が形成されており、第１の誘電体フィルタ１における３Ｆ’に対応するパターン状導電膜と第１の誘電体フィルタ１における５’に対応するパターン状導電膜との間に電極（第１の誘電体フィルタ１における７に対応）が形成されている。
【００２５】
以下の説明において、第１の誘電体フィルタ１における部材Ｘ（任意の符号）と対応する第２の誘電体フィルタ２１における部材については、「Ｘ対応」の部材と記載する。
【００２６】
第２の誘電体フィルタ２１において、「６対応」の第２の入出力電極は、隣接する「３Ａ’対応」のパターン状導電膜ひいては「３Ａ対応」の共振器及び「４’対応」のパターン状導電膜ひいては「４対応」の共振器の双方とそれぞれ容量結合している。また、「７対応」の電極は、隣接する「３Ｆ’対応」のパターン状導電膜ひいては「３Ｆ対応」の共振器及び「５’対応」のパターン状導電膜ひいては「５対応」の共振器の双方とそれぞれ容量結合している。
【００２７】
誘電体ブロック２２の上面は開放面であり、誘電体ブロック２の下面は短絡面である。
【００２８】
第２の誘電体フィルタ２１は、受信フィルタとして利用される。誘電体ブロック２２の長さ、幅及び高さ、更に「３Ａ，３Ｂ，３Ｃ，３Ｄ，３Ｅ，３Ｆ，４，５対応」の各共振器の共振周波数及び配置等を適宜設定することで、上記送信フィルタの通過帯域とは異なる所望の通過帯域等の特性を持つ受信フィルタとすることができる。
【００２９】
図１に示されているように、誘電体ブロック２２には、その開放面を覆うように第２のシールドケース２８が取り付けられている。第２のシールドケース２８は、上記第１のシールドケース８と同様な構成を有する。
【００３０】
「６対応」の入出力電極には、「８６対応」の導電性ピンの下端部が半田により接合されている。この導電性ピンには、「８６ａ対応」の絶縁性のガラス体が付されており、該ガラス体がシールドケース２８により支持されている。「８６対応」の導電性ピンの上端部はシールドケース２８の外側（すなわち、図１における上側）に位置している。すなわち、「６対応」の入出力電極にはシールドケース２８に設けられた「８１対応」の開口を通ってシールドケースの外側へと延びる「８６対応」の導電性ピンが固定されている。
【００３１】
「８７対応」の導電性ピンも、「８６対応」の導電性ピンと同様にして、シールドケース２８により支持され、「７対応」の電極に接合されている。
【００３２】
誘電体ブロック２及び誘電体ブロック２２は、材質が例えばアルミナ系セラミックスであり、比誘電率が例えば５〜２０であり、幅Ｈが例えば１０〜３０ｍｍである。
【００３３】
図１に示されるように、誘電体フィルタ１及び誘電体フィルタ２１は、金属などからなる導電性基板１０に取り付けられている。ここで、誘電体ブロック２及び誘電体ブロック２２は、いずれも開放面と反対側の短絡面を導電性基板１０の表面に接して取り付けられており、しかも互いに平行に配列されている。誘電体フィルタ１の電極６と誘電体フィルタ２１の「６対応」の電極とが、対応する端部（図１では左側の端部）に位置している。
【００３４】
図１において、同軸ケーブルよりなる伝送線路３０が、シールドケース８，２８の外側に配置されている。伝送線路３０は、その第１の端部における中心導体が上記電極６に固定された導電性ピン８６に接続されており、第２の端部における中心導体が上記「６対応」の電極に固定された「８６対応」の導電性ピンに接続されている。伝送線路３０の第１の端部と上記電極６との接続部分が入出力共通端子３１を構成する。換言すれば、電極６に固定された導電性ピン８６が入出力共通端子３１を構成する。すなわち、この導電性ピン８６に、アンテナとの接続のための同軸ケーブル３２の一端における中心導体が接続されている。同軸ケーブル３２の他端にはアンテナ側の配線との接続のためのコネクタ３２’が付設されている。
【００３５】
一方、第１の誘電体フィルタ１の電極７に固定された導電性ピンには、送信機の出力回路部との接続のための同軸ケーブル３３の一端における中心導体が接続されている。同軸ケーブル３３の他端における中心導体には送信機側の配線との接続のためのコネクタ３３’が付設されている。同様に、第２の誘電体フィルタ２１の「７対応」の電極に固定された導電性ピンには、受信機の入力回路部との接続のための同軸ケーブル３４の一端における中心導体が接続されている。同軸ケーブル３４の他端における中心導体には受信機側の配線との接続のためのコネクタ３４’が付設されている。
【００３６】
伝送線路３０の同軸ケーブルの外被導体は、シールドケース８のタブ８２及びシールドケース２８の「８２対応」のタブと接続されており、これらのシールドケース及びそれに接続された誘電体ブロック２，２２の外導体を介してグランドに接続されている。
【００３７】
図５は上記の実施形態のデュプレクサを導電性ケースに収納した状態を示す斜視図であり、図６はその分解斜視図である。すなわち、導電性基板１０に、金属などからなる導電性側壁部材１１の下端面を固定し、上記同軸ケーブル３２，３３，３４が側壁部材を貫通するようにし、上記コネクタ３２’，３３’，３４’が側壁部材１１の外側に位置するようにする。また、該側壁部材１１の上端面に金属などからなる導電性蓋板１２を取り付ける。かくして、導電性基板１０、導電性側壁部材１１及び導電性蓋板１２により導電性ケースが構成され、該導電性ケースによりデュプレクサが包囲されている。これにより電磁シールドは、更に良好なものとなる。
【００３８】
図７は上記の実施形態のデュプレクサの導電性ケースにヒートシンクを取り付けた状態を示す分解斜視図であり、図８はその斜視図である。すなわち、導電性基板１０の外表面に、金属などからなる導電性の放熱ブロック１３を取り付ける。これにより、主として送信フィルタで発生する熱を効率よく放散させることができる。
【００３９】
以下、本実施形態のデュプレクサの動作を説明する。
【００４０】
本実施形態のデュプレクサでは、送信側誘電体フィルタ１の入出力共通端子３１側（即ち導電性ピン８６側）の反射特性において、受信側誘電体フィルタ２１の中心周波数の位相が−１０°〜＋１０°の範囲内、好ましくは−５°〜＋５°の範囲内、更に好ましくは−１°〜＋１°の範囲内即ち実質上０°である。このような位相特性は、送信側誘電体フィルタ１の第１のトラップ共振器４の共振周波数を適宜設定し、更には第１のトラップ共振器４と第１の入出力電極６との容量結合を適宜設定することで行うことができる。この第１のトラップ共振器４の共振周波数の設定または第１のトラップ共振器４と第１の入出力電極６との容量結合の設定は、パターン状の導電膜４’の形状を、例えば導電膜を部分的に剥離したり部分的に付加したりして適宜調節することで行うことができる。
【００４１】
同様に、受信側誘電体フィルタ２１の入出力共通端子３１側の反射特性（即ち受信側誘電体フィルタ２１に伝送線路（同軸ケーブル）３０を接続してなるものの該伝送線路の導電性ピン８６側での反射特性）において、送信側誘電体フィルタ１の中心周波数の位相が−１０°〜＋１０°の範囲内、好ましくは−５°〜＋５°の範囲内、更に好ましくは−１°〜＋１°の範囲内即ち実質上０°である。このような位相特性は、受信側誘電体フィルタ２１の「４対応」の第２のトラップ共振器の共振周波数を適宜設定し、更には「４対応」の第２のトラップ共振器と「６対応」の第２の入出力電極との容量結合を適宜設定することで行うことができる。この第２のトラップ共振器の共振周波数の設定または第２のトラップ共振器と第２の入出力電極との容量結合の設定は、「４’対応」のパターン状の導電膜の形状を、例えば導電膜を部分的に剥離したり部分的に付加したりして適宜調節することで行うことができる。
【００４２】
例えば、「４’対応」のパターン状の導電膜が第１のパターンをなしていた時に、受信側誘電体フィルタ２１が図９に示されているような特性を持っていたとする。すなわち、「４対応」の第２のトラップ共振器の減衰極周波数が２０２９ＭＨｚ（Ｍｋｒ１）で、入出力共通端子側の反射特性において送信側誘電体フィルタ１の中心周波数（Ｍｋｒ３）の位相が−１５°（−１０°〜＋１０°の範囲外）である。
【００４３】
そこで、「４’対応」の第１のパターンの導電膜を部分的に剥離したり部分的に付加したりして該第１のパターンとは異なる第２のパターンにすると、図１０に示されているような特性を持つようになる。すなわち、「４対応」の第２のトラップ共振器の減衰極周波数が２０４５ＭＨｚ（Ｍｋｒ１）で、入出力共通端子側の反射特性において送信側誘電体フィルタ１の中心周波数（Ｍｋｒ３）の位相が＋５°（−１０°〜＋１０°の範囲内）である。尚、このようにした場合においても、図９及び図１０の比較から分かるように、通過帯域外の減衰特性が損なわれることはない。
【００４４】
送信側誘電体フィルタ１の第１のトラップ共振器４の共振周波数の設定及び第１のトラップ共振器と第１の入出力電極６との容量結合の設定についても同様にして行うことができる。
【００４５】
このようにして送信側誘電体フィルタ１及び受信側誘電体フィルタ２１の入出力共通端子側の反射特性においてそれぞれ受信側誘電体フィルタ２１及び送信側誘電体フィルタ１の中心周波数の位相を０°に近いものとすることで、伝送線路３０の長さを送信側誘電体フィルタ１の中心周波数及び受信側誘電体フィルタ２１の中心周波数のうちの高い方に対応する波長の１／４以下とし、且つ伝送線路３０の第１の端部と第１の入出力電極６との接続部分（または伝送線路３０の第２の端部と「６対応」の第２の入出力電極との接続部分）を入出力共通端子としても、ロス（損失）は少ないものとなる。これにより、１つの伝送線路３０のみの使用で部品点数が低減され且つ小型化されたデュプレクサが得られる。
【００４６】
伝送線路（同軸ケーブル）３０の長さは、上記のように送信側誘電体フィルタ１の中心周波数及び受信側誘電体フィルタ２１の中心周波数のうちの高い方に対応する波長の１／４以下であって、送信側誘電体フィルタ１及び受信側誘電体フィルタ２１の寸法及び配置に応じて決まる可能な最小値とすることができる。その上で、上記のような位相調整を行うことで、分波性能を高めることができる。
【００４７】
本発明においては、第１及び第２の入出力電極にそれぞれ容量結合する第１及び第２のトラップ共振器は、それぞれの誘電体フィルタの通過帯域外の減衰特性を良好なものとする機能と上記のデュプレクサにおける位相調整の機能との双方を有するものである。
【００４８】
以上の実施形態では、送信側誘電体フィルタ１及び受信側誘電体フィルタ２１の双方について、入出力共通端子側の反射特性における受信側誘電体フィルタ２１及び送信側誘電体フィルタ１の中心周波数の位相の調整を行っており、これにより分波機能のより高い高性能のデュプレクサが得られる。しかし、本発明においては、送信側誘電体フィルタ１及び受信側誘電体フィルタ２１のうちの一方のみにつき上記位相調整を行ってもよい。その場合、双方につき位相調整する場合より性能は若干劣るが良好な分波性能を得ることは可能である。
【００４９】
以上の実施形態では第１の誘電体フィルタ１を送信フィルタとし且つ第２の誘電体フィルタ２１を受信フィルタとしているが、本発明においては、その逆に、第１の誘電体フィルタを受信フィルタとし且つ第２の誘電体フィルタ２１を送信フィルタとすることも可能である。
【図面の簡単な説明】
【００５０】
【図１】本発明によるデュプレクサの一実施形態を示す斜視図である。
【図２】図１のデュプレクサの第１の誘電体フィルタ及び第１のシールドケースの部分を示す分解斜視図である。
【図３】図１のデュプレクサの第１の誘電体フィルタを示す拡大斜視図である。
【図４】図１のデュプレクサにおける導電性ピンの周囲を示す断面図である。
【図５】図１のデュプレクサを導電性ケースに収納した状態を示す斜視図である。
【図６】図１のデュプレクサの分解斜視図である。
【図７】図１のデュプレクサの導電性ケースにヒートシンクを取り付けた状態を示す分解斜視図である。
【図８】図１のデュプレクサの導電性ケースにヒートシンクを取り付けた状態を示す斜視図である。
【図９】誘電体フィルタの特性を示す図である。
【図１０】誘電体フィルタの特性を示す図である。
【符号の説明】
【００５１】
１  第１の誘電体フィルタ（送信フィルタ）
２  第１の誘電体ブロック
２ａ  誘電体ブロック上面
２ｂ  誘電体ブロック下面
３Ａ，３Ｂ，３Ｃ，３Ｄ，３Ｅ，３Ｆ  第１の１／４波長型誘電体共振器
３Ａ’，３Ｂ’，３Ｃ’，３Ｄ’，３Ｅ’，３Ｆ’  パターン状導電膜
４  第１のトラップ共振器
４’  パターン状導電膜
５  トラップ共振器
５’  パターン状導電膜
６  第１の入出力電極
７  電極
８  第１のシールドケース
８１  開口
８２  タブ
８３  スペーシング用突起
８４  挟持用突起
８６，８７  導電性ピン
８６ａ  絶縁性ガラス体
８６ｂ  半田
２１  第２の誘電体フィルタ（受信フィルタ）
２２  第２の誘電体ブロック
２８  第２のシールドケース
３０  伝送線路（同軸ケーブル）
３１  入出力共通端子
３２  同軸ケーブル
３２’  コネクタ
３３  同軸ケーブル
３３’  コネクタ
３４  同軸ケーブル
３４’  コネクタ
１０  導電性基板
１１  導電性側壁部材
１２  導電性蓋板
１３  放熱ブロック
【図１】
2007295361.tif 000003
【図２】
2007295361.tif 000004
【図３】
2007295361.tif 000005
【図４】
2007295361.tif 000006
【図５】
2007295361.tif 000007
【図６】
2007295361.tif 000008
【図７】
2007295361.tif 000009
【図８】
2007295361.tif 000010
【図９】
2007295361.tif 000011
【図１０】
2007295361.tif 000012